(57)【要約】【課題】本発明は、遊遊技者の遊技に対する興趣の向上を図ることができる遊技機を提供することを目的とする。【解決手段】遊技機１００に備えられた球振り分け装置４は、遊技領域１１６を流下した遊技球が進入可能な入球口４０ａと、入球口４０ａを形成する左側壁４０ｂおよび右側壁４０ｃとを有する振分入賞部４０と、振分入賞部４０の上方に設けられて遊技領域１１６を流下した遊技球を受け入れた後に振分入賞部４０に排出可能な第二球通過部４２とを有している。第二球通過部４２は、入球口４０ａの左側を規定する左側壁４０ｂおよび右側を規定する右側壁４０ｃのうちの左側壁４０ｂに片寄って配置されている。【選択図】図６
2019088363.tif 000002
【特許請求の範囲】
【請求項１】
遊技球が流下可能な遊技領域と、
前記遊技領域を流下した遊技球が進入可能な進入口および前記進入口を形成する側壁を有する進入部と、
前記進入部の上方に設けられて前記遊技領域を流下した遊技球を受け入れた後に前記進入部に排出可能な球通過部と
を備え、
前記球通過部は、前記側壁のうちの前記進入口の左側を規定する左側壁および右側を規定する右側壁のいずれか一方の側に片寄って配置されていること
を特徴とする遊技機。
【請求項２】
前記球通過部の上方で前記球通過部が片寄る方向とは反対方向に前記球通過部に対して片寄って配置され、前記遊技領域を流下した遊技球を受け入れた後に前記球通過部に排出可能な初段球通過部を備えること
を特徴とする請求項１に記載の遊技機。
【請求項３】
前記球通過部の一部は、前記進入口と所定の間隙を設けて前記左側壁および前記右側壁に跨って配置されていること
を特徴とする請求項１または２に記載の遊技機。
【発明の詳細な説明】
【技術分野】
【０００１】
本発明は、弾球遊技機（パチンコ機）に代表される遊技機に関する。
【背景技術】
【０００２】
遊技領域を流下する遊技球を振り分けたり流下方向を変換したりして所定領域に誘導する遊技機が知られている（例えば特許文献１または２）。
【先行技術文献】
【特許文献】
【０００３】
【特許文献１】特開２０１６−８７１１１号公報
【特許文献２】特開２０１０−１９４３６５号公報
【発明の概要】
【発明が解決しようとする課題】
【０００４】
しかしながら、従来の遊技機は、遊技球の所定領域への誘導が遊技性やゲーム性に関連せず、遊技者の遊技に対する興趣を向上することができないという問題がある。
本発明の目的は、遊技者の遊技に対する興趣の向上を図ることができる遊技機を提供することにある。
【課題を解決するための手段】
【０００５】
上記目的を達成するために、本発明の一態様による遊技機は、遊技球が流下可能な遊技領域と、前記遊技領域を流下した遊技球が進入可能な進入口および前記進入口を形成する側壁を有する進入部と、前記進入部の上方に設けられて前記遊技領域を流下した遊技球を受け入れた後に前記進入部に排出可能な球通過部とを備え、前記球通過部は、前記側壁のうちの前記進入口の左側を規定する左側壁および右側を規定する右側壁のいずれか一方の側に片寄って配置されていることを特徴とする。
【０００６】
前記球通過部の上方で前記球通過部が片寄る方向とは反対方向に前記球通過部に対して片寄って配置され、前記遊技領域を流下した遊技球を受け入れた後に前記球通過部に排出可能な初段球通過部を備えていてもよい。
【０００７】
前記球通過部の一部は、前記進入口と所定の間隙を設けて前記左側壁および前記右側壁に跨って配置されていてもよい。
【発明の効果】
【０００８】
本発明の一態様によれば、遊技者の遊技に対する興趣の向上を図ることができる。
【図面の簡単な説明】
【０００９】
【図１】扉が開放された状態を示す遊技機１００の斜視図である。
【図２】遊技機１００の正面図である。
【図３】遊技機１００に設けられた遊技盤１０８の正面図である。
【図４】遊技の進行を制御する制御手段の内部構成を示すブロック図である。
【図５】遊技機１００に備えられた球振り分け装置４の外観斜視図であって、図５中中央には、球振り分け装置４の全体構成が図示され、図５中左には、球振り分け装置４を構成する前側部品４Ａが図示され、図５中右上には、球振り分け装置４を構成する後側部品４Ｂが図示され、図５中右下には、球振り分け装置４を構成する排出部品４Ｃが図示されている。
【図６】遊技機１００に備えられた球振り分け装置４の概略構成を説明する図であって、図６（ａ）は排出部品４Ｃを除いた球振り分け装置４の正面図であり、図６（ｂ）は排出部品４Ｃを除いた球振り分け装置４の右側面図である。
【図７】遊技機１００に備えられた球振り分け装置４の概略構成を説明する図であって、図８（７）は前側部品４Ａの正面図であり、図７（ｂ）は前側部品４Ａの右側面図である。
【図８】遊技機１００に備えられた球振り分け装置４の概略構成を説明する図であって、図８（ａ）は後側部品４Ｂの正面図であり、図８（ｂ）は後側部品４Ｂの右側面図である。
【図９】遊技機１００に備えられた球振り分け装置４の概略構成を説明する図であって、図９中左は前側部品４Ａを背面側から見た斜視図であり、図９中右は後側部品４Ｂを前側から見た斜視図である。
【図１０】遊技機１００に備えられた球振り分け装置４の作用・効果を説明する図であって、球振り分け装置４に設けられた第一球通過部４１、第二球通過部４２および振分入賞部４０を模式的に示す図である
【図１１】遊技機１００に備えられる球振り分け装置の他の構成例としての球振り分け装置５の外観斜視図である。
【図１２】遊技機１００に備えられる球振り分け装置５の概略構成を説明する図であって、図１２（ａ）は球振り分け装置５の正面図であり、図１２（ｂ）は球振り分け装置５の右側面図である。
【発明を実施するための形態】
【００１０】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
本発明の実施形態の理解を容易にするため、まず、遊技機の機械的構成および電気的構成を簡単に説明し、その後、遊技機に設けられた球振り分け装置の具体的な構成について説明する。
【００１２】
図１は、本実施形態の遊技機１００の斜視図であり、扉が開放された状態を示している。図示のように、遊技機１００は、略矩形状に組まれた四辺によって囲繞空間が形成される外枠１０２と、外枠１０２にヒンジ機構によって開閉自在に取り付けられた中枠１０４と、中枠１０４に、ヒンジ機構によって開閉自在に取り付けられた前枠１０６と、を備えている。
【００１３】
中枠１０４は、外枠１０２と同様に、略矩形状に組まれた四辺によって囲繞空間が形成されており、囲繞空間に遊技盤１０８が保持されている。また、前枠１０６には、ガラス製または樹脂製の透過板１１０が保持されている。そして、中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１４】
（遊技機の詳細な構成）
次に、遊技機１００の詳細な構成について図２および図３を用いて説明する。図２では、遊技盤１０８に設けられている釘１３１（いずれも後述する）の図示は省略されている。また、図２では、透明なアクリル板で覆われて視認可能な大入賞口１２６の具体的な構造の図示は省略されている。
【００１５】
図２は、遊技機１００の正面図である。図２に示すように、前枠１０６の下部には、遊技機１００の正面側に突出する操作ハンドル１１２が設けられている。操作ハンドル１１２は、遊技者が回転操作可能に設けられており、遊技者が操作ハンドル１１２を回転させて発射操作を行うと、操作ハンドル１１２の回転角度に応じた強度で、不図示の発射機構によって遊技球が発射される。このようにして発射された遊技球は、遊技盤１０８に設けられたレール１１４ａ，１１４ｂ間を上昇して遊技球が流下可能な遊技領域１１６に導かれることとなる。
【００１６】
遊技領域１１６は、遊技盤１０８と透過板１１０との間隔に形成される空間であって、遊技球が流下または転動可能な領域である。図３に示すように、遊技盤１０８には、多数の釘１３１や１つの風車１３３が設けられており、遊技領域１１６に導かれた遊技球が釘１３１や風車１３３に衝突して、不規則な方向に流下、転動するようにしている。なお、図３では、遊技領域１１６に設けられた多数の釘１３１が白丸で図示され、多数の釘１３１のうちの１つの釘１３１のみに参照符号が付されている。
【００１７】
図２および図３に示すように、遊技領域１１６は、発射機構の発射強度に応じて遊技球の進入度合いを互いに異にする第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ，１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００１８】
また、遊技領域１１６には、遊技球が入球可能な振分入賞部（入賞部の一例）４０、一般入賞口１１８、第１始動口１２０、第２始動口１２２が設けられており、振分入賞部４０、一般入賞口１１８、第１始動口１２０、第２始動口１２２に遊技球が入球すると、それぞれ所定の賞球が遊技者に払い出される。遊技球の入球に基づいて払い出される賞球数は、振分入賞部４０および入賞口ごとに異なっていてもよい。
【００１９】
なお、詳しくは後述するが、第１始動口１２０内には第１始動領域が設けられ、また、第２始動口１２２内には第２始動領域が設けられている。そして、第１始動口１２０または第２始動口１２２に遊技球が入球して第１始動領域または第２始動領域に遊技球が進入すると、予め設けられた複数の特別図柄の中からいずれか一の特別図柄を決定するための抽選が行われる。各特別図柄には、遊技者にとって有利な大役遊技の実行可否や、以後の遊技状態をどのような遊技状態にするかといった種々の遊技利益が対応付けられている。したがって、遊技者は、第１始動口１２０または第２始動口１２２に遊技球が入球すると、所定の賞球を獲得するのと同時に、種々の遊技利益を受ける権利獲得の機会を獲得することとなる。
【００２０】
第１始動口１２０は、遊技領域１１６の下部であって、第１遊技領域１１６ａを流下する遊技球のみが入球可能であるか、または、第１遊技領域１１６ａに進入した遊技球の方が、第２遊技領域１１６ｂに進入した遊技球よりも進入しやすい位置に配置されている。
【００２１】
また、図３に示すように、第２始動口１２２は、第２遊技領域１１６ｂに位置している。第２始動口１２２は、第２遊技領域１１６ｂを流下する遊技球のみが入球可能のみが入球可能であるか、または、第２遊技領域１１６ｂに進入した遊技球の方が、第１遊技領域１１６ａに進入した遊技球よりも進入しやすい位置に配置されている。第２始動口１２２は、可動片１２２ａを有する始動可変入賞装置によって構成されており、第２始動口１２２への遊技球の進入容易性が可変するようになっている。具体的には、第２始動口１２２は、可動片１２２ａが開閉可能に設けられており、可動片１２２ａが閉状態にあるときには、第２始動口１２２への遊技球の進入が不可能または困難となっている。これに対して、第２遊技領域１１６ｂに設けられたゲート１２４を遊技球が通過すると、後述する普通図柄の抽選が行われ、この抽選によって当たりに当選すると、可動片１２２ａが所定時間、開状態に制御される。このように、可動片１２２ａが開状態になると、第２始動口１２２への遊技球の入球が容易となる。
【００２２】
第２遊技領域１１６ｂには、第２始動口１２２の下方であって、第２遊技領域１１６ｂを流下する遊技球のみが入球可能であるか、または、第２遊技領域１１６ｂに進入した遊技球の方が、第１遊技領域１１６ａに進入した遊技球よりも進入しやすい位置に球振り分け装置４が設けられている。球振り分け装置４は、ユニット化された装置であり、遊技盤１０８に取り付けられている。第２遊技領域１１６ｂに進入して第２始動口１２２に入球しなかった遊技球は、球振り分け装置４に受け入れられる。球振り分け装置４は、振分入賞部４０、第一球通過部４１および第二球通過部４２を有している。球振り分け装置４は、受け入れた遊技球を振分入賞部４０に振り分けたり振り分けなかったりするようになっている。球振り分け装置４の詳細な構成については後述する。
【００２３】
さらに、第２遊技領域１１６ｂには、第２遊技領域１１６ｂを流下する遊技球のみが入球可能であるか、または、第２遊技領域１１６ｂに進入した遊技球の方が、第１遊技領域１１６ａに進入した遊技球よりも進入しやすい位置に大入賞口１２６が設けられている。大入賞口１２６は、遊技者に遊技利益を付与するか否かの抽選（以下、「大役抽選」という）によって大当たりに当選した場合に作動し、大入賞口１２６の入球口１２６ｂへの入球を可能にする。
【００２４】
図３に示すように、大入賞口１２６は、球振り分け装置４の下方に配置されている。大入賞口１２６は、１つの開閉部材１２６ａを有している。大入賞口１２６は、開閉部材１２６ａが盤面の内部にスライドするタイプの装置である（スライド式のアタッカ）。開閉部材１２６ａは、例えば図示しないソレノイドを用いたリンク機構の働きにより、遊技盤１０８の盤面に対して前後方向に往復動作するようになっている。開閉部材１２６ａは、遊技盤１０８の盤面から遊技者側に突出した状態で閉位置（閉鎖状態）にあり、このとき遊技球は開閉部材１２６ａの上面を転動することになる。このため、入球口１２６ｂへの遊技球の入球は困難（入球口１２６ｂは閉塞中）な状態となる。大入賞口１２６が作動すると、開閉部材１２６ａは、遊技盤１０８の盤面の内部に引き込まれた状態で開位置（開放状態）にあり、入球口１２６ｂを開放する。入球口１２６ｂが開放されている間に大入賞口１２６は、入球口１２６ｂが閉塞中の場合と比較して、遊技球の流入が困難ではない状態となり、入球口１２６ｂへの入球という事象を発生させることができる。
【００２５】
また、大入賞口１２６の内部には、大入賞口１２６に入球した遊技球を内部に誘導するための誘導通路１２６ｄが配置されている。誘導通路１２６ｄには、大入賞口検出スイッチ１２６ｓが配置されている。大入賞口１２６に入球した遊技球は、大入賞口検出スイッチ１２６ｓによって入球が検出され、最終的には、排出口１２６ｅに導かれて内部に回収される。大入賞口１２６の入球口１２６ｂから入球した遊技球が、誘導通路１２６ｄで誘導されて大入賞口検出スイッチ１２６ｓによって検出されると、所定の賞球が遊技者に払い出される。
【００２６】
第１遊技領域１１６ａには、第１始動口１２０の左側に２つの一般入賞口１１８が設けられている。一般入賞口１１８および振分入賞部４０は、遊技球の入球が検出されると遊技者に所定の賞球が付与されるものの、第１始動口１２０および第２始動口１２２と異なり、大役抽選の実行契機にはならない。
【００２７】
また、第１遊技領域１１６ａの右側縁部には球案内通路１６５が形成されている。球案内通路１６５の下縁部には転動ステージ１６７が形成されている。球案内通路１６５は第１遊技領域１１６ａ内にて左斜め上方に開口しており、第１遊技領域１１６ａ内を流下する遊技球がこの開口を通って無作為に球案内通路１６５内に流入する。球案内通路１６５内に流入した遊技球は、球案内通路１６５の内部を通過して転動ステージ１６７上に放出される。転動ステージ１６７の上面は滑らかな湾曲面を有している。転動ステージ１６７上では、遊技球が左右方向に転動自在である。転動ステージ１６７上で転動した遊技球は、やがて下方の第１遊技領域１１６ａ内に流下する。転動ステージ１６７の中央位置には、球流入口１６９ａが形成されている。球流入口１６９ａは、遊技盤１０８の背面側に設けられた通路（不図示）を介して、第１始動口１２０の直上に設けられた球放出口１６９ｂと連通されている。転動ステージ１６７から第１遊技領域１１６ａ内に流下する前に球流入口１６９ａに流入する遊技球は、遊技盤１０８の背面側の通路を通って球放出口１６９ｂから第１遊技領域１１６ａに放出される。球放出口１６９ｂから放出される遊技球は、転動ステージ１６７から第１遊技領域１１６ａ内に流下する遊技球よりも第１始動口１２０に流入しやすくなる。
【００２８】
図３に示すように、第１遊技領域１１６ａには、２つの一般入賞口１１８を挟んで、遊技球を遊技領域１１６から遊技盤１０８の背面側に排出する２つの排出口１３０が設けられている。２つの排出口１３０の一方は、一般入賞口１１８の左上に隣接して設けられ、２つの排出口１３０の他方は、遊技領域１１６の最下部の中心部（第１始動口１２０の直下）に設けられている。複数の排出口１３０により、振分入賞部４０、一般入賞口１１８、第１始動口１２０、第２始動口１２２、大入賞口１２６のいずれにも入球しなかった遊技球が、遊技領域１１６から遊技盤１０８の背面側に排出される。
【００２９】
そして、遊技機１００には、遊技の進行中等に演出を行う演出装置として、液晶表示装置からなる演出表示装置２００、可動装置からなる演出役物装置２０２、さまざまな点灯態様や発光色に制御される複数のランプからなる演出照明装置２０４、スピーカからなる音声出力装置２０６、遊技者の操作を受け付けるとともに、振動による演出を行う演出操作装置２０８が設けられている。
【００３０】
演出表示装置２００は、画像を表示する画像表示部からなる演出表示部２００ａを備えており、演出表示部２００ａを、遊技盤１０８の略中央部分において、遊技機１００の正面側から視認可能に配置している。演出表示部２００ａには、図２に示すように演出図柄２１０ａ，２１０ｂ，２１０ｃが変動表示され、演出図柄２１０ａ，２１０ｂ，２１０ｃの停止表示態様によって大役抽選結果が遊技者に報知される変動演出が実行されることとなる。変動演出では、演出表示部２００ａに加えて演出役物装置２０２、演出照明装置２０４、音声出力装置２０６および演出操作装置２０８等の複数の演出装置の動作が行われてもよい。
【００３１】
演出役物装置２０２は、演出表示部２００ａよりも前面に配置され、通常、遊技盤１０８の背面側に退避しているが、上記の演出図柄２１０ａ，２１０ｂ，２１０ｃの変動表示中などに、演出表示部２００ａの前面まで可動して、遊技者に大当たりの期待感を付与するものである。
【００３２】
演出照明装置２０４は、演出役物装置２０２や遊技盤１０８等に設けられており、演出表示部２００ａに表示される画像等に合わせて、さまざまに点灯制御される。
【００３３】
図２に示すように、音声出力装置２０６は、前枠１０６の上部位置や外枠１０２の最下部位置に設けられ、演出表示部２００ａに表示される画像等に合わせて、遊技機１００の正面側に向けてさまざまな音声を出力する。
【００３４】
演出操作装置２０８は、遊技者の押下操作を受け付ける押下ボタン２０８ａと、遊技者の引き倒しによる入力操作を受け付ける演出レバー２０８ｂと、演出レバー２０８ｂの入力操作に伴って回転する回転部２０８ｃとを有している。押下ボタン２０８ａおよび演出レバー２０８ｂは、遊技者が操作可能な操作装置に相当する。演出操作装置２０８は、遊技機１００の幅方向略中央位置であって、かつ、透過板１１０（図１参照）よりも下方位置に設けられている。演出操作装置２０８は、例えば演出表示部２００ａに表示される画像等に合わせて有効化されるものであり、操作有効時間内に遊技者の操作を受け付けると、当該操作に応じて、さまざまな演出が実行される。
【００３５】
演出操作装置２０８の後ろ側（遊技盤１０８側）には、遊技機１００から払い出される賞球や、遊技球貸出装置から貸し出される遊技球が導かれる上皿１３２であり、上皿１３２が遊技球で一杯になると、遊技球は下皿１３４に導かれることとなる。また、下皿１３４の底面には、下皿１３４から遊技球を排出するための球抜き孔（不図示）が形成されている。この球抜き孔は、通常、開閉板（不図示）によって閉じられているが、球抜きつまみ１３４ａを図中左右方向にスライドさせることにより、球抜きつまみ１３４ａと一体となって開閉板がスライドし、球抜き孔から下皿１３４の下方に遊技球を排出することが可能となっている。
【００３６】
また、遊技盤１０８には、遊技領域１１６の外方であって、かつ、遊技者が視認可能な位置に、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が設けられている。各表示器１６０，１６２，１６４，１６６，１６８，１７０，１７２は、遊技に係る種々の状況を表示するための装置であるが、その詳細については後述する。
【００３７】
（制御手段の内部構成）
図４は、遊技の進行を制御する制御手段の内部構成を示すブロック図である。
【００３８】
主制御基板３００は遊技の基本動作を制御する。主制御基板３００は、メインＣＰＵ３００ａ、メインＲＯＭ３００ｂ、メインＲＡＭ３００ｃを備えている。メインＣＰＵ３００ａは、各検出スイッチやタイマからの入力信号に基づいて、メインＲＯＭ３００ｂに格納されたプログラムを読み出して演算処理を行うとともに、各装置や表示器を直接制御したり、あるいは演算処理の結果に応じて他の基板にコマンドを送信したりする。メインＲＡＭ３００ｃは、メインＣＰＵ３００ａの演算処理時におけるデータのワークエリアとして機能する。
【００３９】
本実施形態の遊技機１００は、主に第１始動口１２０または第２始動口１２２への遊技球の入球によって開始される特別遊技と、ゲート１２４を遊技球が通過することによって開始される普通遊技とに大別される。そして、主制御基板３００のメインＲＯＭ３００ｂには、特別遊技および普通遊技を進行するための種々のプログラムや、各種の遊技に必要なデータ、テーブルが記憶されている。
【００４０】
主制御基板３００には、一般入賞口１１８に遊技球が入球したことを検出する一般入賞口検出スイッチ１１８ｓ、第１始動口１２０に遊技球が入球したことを検出する第１始動口検出スイッチ１２０ｓ、第２始動口１２２に遊技球が入球したことを検出する第２始動口検出スイッチ１２２ｓ、ゲート１２４を遊技球が通過したことを検出するゲート検出スイッチ１２４ｓ、大入賞口１２６に遊技球が入球したことを検出する大入賞口検出スイッチ１２６ｓ、振分入賞部４０に遊技球が入球したことを検出する振分入賞部検出スイッチ４０ｓが接続されており、これら各検出スイッチから主制御基板３００に検出信号が入力されるようになっている。
【００４１】
また、主制御基板３００には、第２始動口１２２の可動片１２２ａを作動する普通電動役物ソレノイド１２２ｃと、大入賞口１２６の開閉部材１２６ａを作動する開閉部材ソレノイド１２６ｃと、が接続されており、主制御基板３００によって、第２始動口１２２および大入賞口１２６の開閉制御がなされるようになっている。
【００４２】
さらに、主制御基板３００には、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が接続されており、主制御基板３００によって、これら各表示器の表示制御がなされるようになっている。
【００４３】
また、遊技機１００には、電波を検知する電波検知センサ、磁気を検知する磁気検知センサ、中枠１０４や前枠１０６の開放状態を検知する扉開放センサ等、異常または不正の可能性があることを検知する異常検知センサ１７４が複数設けられており、各異常検知センサ１７４から主制御基板３００に異常検知信号が入力されるように構成されている。
【００４４】
そして、主制御基板３００には、払出制御基板３１０および副制御基板３３０が接続されている。
【００４５】
払出制御基板３１０は、遊技球を発射させるための制御、および、賞球を払い出すための制御を行う。払出制御基板３１０も、ＣＰＵ、ＲＯＭ、ＲＡＭを備えており、主制御基板３００に対して双方向に通信可能に接続されている。払出制御基板３１０には遊技情報出力端子板３１２が接続されており、主制御基板３００から出力される遊技進行上の種々の情報が、払出制御基板３１０および遊技情報出力端子板３１２を介して、遊技店のホールコンピュータ等に出力されることとなる。
【００４６】
また、払出制御基板３１０には、貯留部に貯留された遊技球を賞球として遊技者に払い出すための払出モータ３１４が接続されている。払出制御基板３１０は、主制御基板３００から送信された払出個数指定コマンドに基づいて払出モータ３１４を制御して所定の賞球を遊技者に払い出すように制御する。このとき、遊技球の払い出しが払出検知スイッチ３１５ｓによって検出され、払い出された遊技球数が払出球計数スイッチ３１６ｓによって検出され、払い出すべき賞球が遊技者に払い出されたかが把握されるようになっている。払出モータ３１４の駆動により実際に賞球が払い出されると、その都度、払出検知スイッチ３１５ｓからの検知信号および払出球計数スイッチ３１６ｓからの計数信号が払出制御基板３１０に入力される。
【００４７】
また、払出制御基板３１０には、下皿１３４の満タン状態を検出する皿満タン検出スイッチ３１８ｓが接続されている。皿満タン検出スイッチ３１８ｓは、賞球として払い出される遊技球を下皿１３４に導く通路に設けられており、当該通路を遊技球が通過するたびに、遊技球検出信号が払出制御基板３１０に入力されるようになっている。
【００４８】
そして、下皿１３４に所定量以上の遊技球が貯留されて満タン状態になると、下皿１３４に向かう通路内に遊技球が滞留し、皿満タン検出スイッチ３１８ｓから払出制御基板３１０に向けて、遊技球検出信号が連続的に入力される。払出制御基板３１０は、遊技球検出信号が所定時間連続して入力された場合に、下皿１３４が満タン状態であると判断し、皿満タンコマンドを主制御基板３００に送信する。一方、皿満タンコマンドを送信した後、遊技球検出信号の連続入力が途絶えた場合には、満タン状態が解除されたと判断し、皿満タン解除コマンドを主制御基板３００に送信する。
【００４９】
また、払出制御基板３１０には、発射制御基板３２０が双方向に通信可能に接続されている。発射制御基板３２０は、払出制御基板３１０から発射制御データを受信すると発射の許可を行う。発射制御基板３２０は、操作ハンドル１１２に設けられ、操作ハンドル１１２に遊技者が触れたことを検出するタッチセンサ１１２ｓと、操作ハンドル１１２の操作角度を検出する操作ボリューム１１２ａと、が接続されている。そして、タッチセンサ１１２ｓおよび操作ボリューム１１２ａから信号が入力されると、発射制御基板３２０において、遊技球発射装置に設けられた発射用ソレノイド１１２ｃを通電して遊技球を発射させる制御がなされる。
【００５０】
副制御基板３３０は、主に遊技中や待機中等の各演出を制御する。副制御基板３３０は、サブＣＰＵ３３０ａ、サブＲＯＭ３３０ｂ、サブＲＡＭ３３０ｃ、画像制御部３４０、音声制御部３５０、照明制御部３６０および可動体制御部３７０を備えている。サブＣＰＵ３３０ａ、画像制御部３４０、音声制御部３５０、照明制御部３６０および可動体制御部３７０は、それぞれ個別の回路で構成されていてもよい。また、サブＣＰＵ３３０ａ、画像制御部３４０、音声制御部３５０、照明制御部３６０および可動体制御部３７０は、少なくとも２つ以上が１つの回路で構成（例えば１パッケージ化または１チップ化）され、この回路の機能ブロックとして構成されていてもよい。
【００５１】
副制御基板３３０は、主制御基板３００に対して、主制御基板３００から副制御基板３３０への一方向に通信可能に接続されている。サブＣＰＵ３３０ａは、主制御基板３００から送信されたコマンドやタイマからの入力信号等に基づいて、サブＲＯＭ３３０ｂに格納されたプログラムを読み出して演算処理を行うとともに、演出を実行するためのコマンドを、画像制御部３４０、音声制御部３５０、照明制御部３６０および可動体制御部３７０の少なくとも１つに送信する。このとき、サブＲＡＭ３３０ｃは、サブＣＰＵ３３０ａの演算処理時におけるデータのワークエリアとして機能する。
【００５２】
画像制御部３４０は、演出表示装置２００の演出表示部２００ａに画像を表示させる画像表示制御を行うものであり、ＣＰＵ、ＲＯＭ、ＲＡＭ、ＶＲＡＭを備えている。画像制御部３４０のＲＯＭには、演出表示部２００ａに表示される図柄や背景等の画像データが多数格納されており、副制御基板３３０から送信されたコマンドに基づいて、ＣＰＵが、画像データをＲＯＭからＶＲＡＭに読み出して、演出表示部２００ａの画像表示を制御する。
【００５３】
音声制御部３５０は、副制御基板３３０から送信されたコマンドに基づいて、音声出力装置２０６から音声を出力させる音声出力制御を行う。また、照明制御部３６０は、副制御基板３３０から送信されるコマンドに基づいて、演出照明装置２０４を点灯させる点灯制御を行う。可動体制御部３７０は、副制御基板３３０から送信されたコマンドに基づいて、演出役物装置２０２を可動したり、演出操作装置２０８の押下ボタン２０８ａを遊技者側に飛び出させて可動したりする動作制御を行う。また、可動体制御部３７０は、押下ボタン２０８ａが押下操作されたことを検出する演出操作装置検出スイッチ２０８ｓまたは演出操作装置２０８の演出レバー２０８ｂの入力操作されたことを検知するレバー操作検出スイッチから操作検出信号が入力された際に、所定のコマンドあるいは制御信号を副制御基板３３０に送信する。
【００５４】
なお、各基板には、不図示の電源基板が接続されており、電源基板を介して商用電源から各基板に電力供給がなされている。また、電源基板にはコンデンサからなるバックアップ電源が設けられている。
【００５５】
次に、本実施形態の遊技機１００における遊技について、メインＲＯＭ３００ｂに記憶されている各種テーブルと併せて説明する。
【００５６】
前述したように、本実施形態の遊技機１００は、特別遊技と普通遊技の２種類の遊技が並行して進行するものであり、これら両遊技を進行する際の遊技状態として、低確率遊技状態または高確率遊技状態のいずれかの遊技状態と、非時短遊技状態または時短遊技状態のいずれかの遊技状態と、が組み合わされたいずれかの遊技状態にて遊技が進行する。
【００５７】
低確率遊技状態というのは、大入賞口１２６が開放される大役遊技を実行する権利獲得の確率が低く設定された遊技状態であり、高確率遊技状態というのは、大役遊技を実行する権利獲得の確率が高く設定された遊技状態である。
【００５８】
また、非時短遊技状態というのは、可動片１２２ａが開状態になりにくく、第２始動口１２２に遊技球が入球しにくい遊技状態であり、時短遊技状態というのは、非時短遊技状態よりも可動片１２２ａが開状態になりやすく、第２始動口１２２に遊技球が入球しやすい遊技状態である。なお、遊技機１００の初期状態は、低確率遊技状態および非時短遊技状態に設定され、この遊技状態を本実施形態では通常遊技状態と称する。
【００５９】
遊技者が操作ハンドル１１２を操作して遊技領域１１６に遊技球を発射させるとともに、遊技領域１１６を流下する遊技球が第１始動口１２０または第２始動口１２２に入球すると、大役抽選が行われる。この大役抽選において、大当たりに当選すると、大入賞口１２６が開放されるとともに大入賞口１２６への遊技球の入球が可能となる大役遊技が実行される。
【００６０】
なお、詳細な説明は省略するが、第１始動口１２０または第２始動口１２２に遊技球が入球すると、この入球を契機に大役抽選に用いられる種々の乱数（大当たり決定乱数、当たり図柄乱数、リーチグループ決定乱数、リーチモード決定乱数、変動パターン乱数）の乱数値が取得されるとともに、これら各乱数値がメインＲＡＭ３００ｃの特図保留記憶領域（乱数記憶手段の一例）に記憶される。以下では、第１始動口１２０に遊技球が入球して特図保留記憶領域に記憶された種々の乱数を総称して特１保留とよび、第２始動口１２２に遊技球が入球して特図保留記憶領域に記憶された種々の乱数を総称して特２保留とよぶ。
【００６１】
メインＲＡＭ３００ｃの特図保留記憶領域は、第１特図保留記憶領域と第２特図保留記憶領域とを備えている。第１特図保留記憶領域および第２特図保留記憶領域は、それぞれ４つの記憶部（第１〜第４記憶部）を有している。そして、第１始動口１２０に遊技球が入球すると、特１保留を第１特図保留記憶領域の第１記憶部から順に記憶し、第２始動口１２２に遊技球が入球すると、特２保留を第２特図保留記憶領域の第１記憶部から順に記憶する。例えば、第１始動口１２０に遊技球が入球したとき、第１特図保留記憶領域の第１〜第４記憶部のいずれにも保留が記憶されていない場合には、第１記憶部に特１保留を記憶する。また、例えば、第１記憶部〜第３記憶部に特１保留が記憶されている状態で、第１始動口１２０に遊技球が入球した場合には、特１保留を第４記憶部に記憶する。なお、第２始動口１２２に遊技球が入球した場合にも、上記と同様に、第２特図保留記憶領域の第１記憶部〜第４記憶部の中で、特２保留が記憶されていない、最も番号（序数）の小さい記憶部に特２保留が記憶される。
【００６２】
ただし、第１特図保留記憶領域および第２特図保留記憶領域に記憶可能な特１保留数（Ｘ１）および特２保留数（Ｘ２）は、それぞれ４つに設定されている。したがって、例えば、第１始動口１２０に遊技球が入球したときに、第１特図保留記憶領域に既に４つの特１保留が記憶されている場合には、当該第１始動口１２０への遊技球の入球によって新たに特１保留が記憶されることはない。同様に、第２始動口１２２に遊技球が入球したときに、第２特図保留記憶領域に既に４つの特２保留が記憶されている場合には、当該第２始動口１２２への遊技球の入球によって新たに特２保留が記憶されることはない。
【００６３】
遊技機１００では、第１始動口１２０または第２始動口１２２（図３参照）への遊技球の入球を契機とする特別遊技と、ゲート１２４（図３参照）への遊技球の通過を契機とする普通遊技とが、同時並行して進行する。特別遊技に係る処理は、段階的に、かつ、繰り返し実行される。同様に、遊技機１００では、ゲート１２４への遊技球の通過を契機とする普通遊技に係る処理が、段階的に、かつ、繰り返し実行される。
【００６４】
遊技機１００では、主制御基板３００に設けられたメインＣＰＵ３００ａは、特別遊技に係る各処理および普通遊技に係る各処理を、ＣＰＵ初期化処理（詳細な説明は省略する）に所定の周期（例えば４ミリ秒）で割り込むタイマ割込み処理において実行する。メインＣＰＵ３００ａは、このタイマ割込み処理における特別遊技に係る処理や普通遊技に係る処理の結果の情報を含むコマンドを副制御基板３３０に送信する。メインＣＰＵ３００ａは、例えば大役抽選の抽選結果の情報を含むコマンドや当該抽選結果を報知するために特別図柄を変動表示するための変動時間（変動パターン）の情報を含むコマンドなどを副制御基板３３０に送信する。
【００６５】
遊技機１００では、副制御基板３３０に設けられたサブＣＰＵ３３０ａは、サブＣＰＵ初期化処理に所定の周期（例えば２ミリ秒）でタイマ割込み処理プログラムを読み込んで当該サブタイマ割込み処理を実行する。サブＣＰＵ３３０ａは、サブタイマ割込み処理において、主制御基板３００から送信されるコマンドに基づいて、演出表示部２００ａに表示する演出図柄２１０ａ，２１０ｂ，２１０ｃの変動演出の表示パターンなどを決定する。さらに、サブＣＰＵ３３０ａは、サブタイマ割込み処理において、決定した動作パターンなどの情報を含む種々のコマンドを作成し、画像制御部３４０、音声制御部３５０、照明制御部３６０および可動体制御部３７０のうちの対応する制御部にこれらのコマンドを送信する。
【００６６】
（球振り分け装置の構成）
次に、本実施形態による遊技機１００に備えられた球振り分け装置４について図３を参照しつつ図５から図１０を用いて説明する。まず、球振り分け装置４の概略構成について図５から図９を用いて説明する。
【００６７】
図５に示すように、球振り分け装置４は、遊技盤１０８に取り付けられる後側部品４Ｂと、後側部品４Ｂに固定されて遊技者側に配置される前側部品４Ａと、振分入賞部４０に入球した遊技球を遊技盤１０８（図３参照）の背面側に排出する排出部品４Ｃとを有している。球振り分け装置４は、前側部品４Ａおよび後側部品４Ｂとの間に形成される所定形状の空間において遊技球の流下方向を無作為に振り分けるようになっている。
【００６８】
図５中の右下側に示すように、排出部品４Ｃには、振分入賞部検出スイッチ４０ｓが取り付けられている。振分入賞部検出スイッチ４０ｓは、に設けられている。排出通路４６は、振分入賞部４０に入球した遊技球の全てが遊技盤１０８の背面側に排出される際に通過する通路である。これにより、振分入賞部検出スイッチ４０ｓは、振分入賞部４０に入球した遊技球を排出通路４６において検出することができる。
【００６９】
図５中の右上側に示すように、後側部品４Ｂは、所定の広がりを有し薄板状に形成されたベースパネル４５を有している。球振り分け装置４は、後側部品４Ｂを遊技盤１０８の盤面（釘１３１が打ち付けられる面）に固定されて遊技盤１０８に取り付けられる。ベースパネル４５の表面は、遊技盤１０８の盤面とほぼ面一の状態で配置される。このため、ベースパネル４５に設けられてベースパネル４５よりも前側に突出する振分入賞部４０および上側壁部４２３ａは、遊技領域１１６に配置される。一方、ベースパネル４５に設けられてベースパネル４５よりも後ろ側に突出する第一誘導部４１２および第二誘導部４２２は、遊技盤１０８の背面側に配置される。詳細は後述するが、第一誘導部４１２は、第一球通過部４１の構成要素であり、第二誘導部４２２および上側壁部４２３ａは、第二球通過部４２の構成要素である。
【００７０】
また、ベースパネル４５の外周端は面取りされている。このため、第２遊技領域１１６ｂを流下する遊技球は、ベースパネル４５の外周端に衝突しても、流下方向と反対方向に弾かれずに円滑に球振り分け装置４に進入することができる。
【００７１】
図５中の左側に示すように、前側部品４Ａは、前面パネル４３と前面パネル４３の左右両端に設けられた外壁部４４とを有している。前側部品４Ａは、左右両側の外壁部４４の間に振分入賞部４０および上側壁部４２３ａを内包した状態で外壁部４４の先端部をベースパネル４５の表面に接触させて配置される。前面パネル４３からの外壁部４４の高さは、遊技球の直径並びにベースパネル４５からの振分入賞部４０および上側壁部４２３ａの高さよりも高くなっている。このため、前側部品４Ａを後側部品４Ｂに固定した場合に、前側部品４Ａと後側部品４Ｂとの間に遊技球が通過可能な空間が形成される。
【００７２】
図６に示すように、遊技機１００に備えられた球振り分け装置４は、遊技領域１１６を流下した遊技球が進入可能な入球口（進入口の一例）４０ａと、入球口４０ａを形成する左側壁４０ｂおよび右側壁４０ｃとを有する振分入賞部（進入部の一例）４０を備えている。詳細は後述するが、入球口４０ａは、左側壁４０ｂ、右側壁４０ｃ、前面パネル４３の一部およびベースパネル４５の一部で形成されている。振分入賞部４０は、遊技領域１１６を流下する遊技球の入球に基づき所定の賞球が遊技者に払い出されるように構成されている。
【００７３】
球振り分け装置４は、振分入賞部４０の上方に設けられて遊技領域１１６を流下した遊技球を受け入れた後に振分入賞部４０に排出可能な第二球通過部（球通過部の一例）４２を備えている。第二球通過部４２は、振分入賞部４０の入球口４０ａを形成する側壁のうちの左側を規定する左側壁４０ｂおよび右側を規定する右側壁４０ｃのいずれか一方の側（本実施形態では左側壁４０ｂの側）に片寄って配置されている。第二球通過部４２は、左側壁４０ｂおよび右側壁４０ｃのいずれか一方の側に入球口４０ａを含む仮想平面に平行な方向に片寄って配置されていてもよい。また、第二球通過部４２は、左側壁４０ｂおよび右側壁４０ｃのいずれか一方の側に遊技盤１０８の盤面の面内で入球口４０ａを含む仮想平面に平行な方向に片寄って配置されていてもよい。また、第二球通過部４２は、左側壁４０ｂおよび右側壁４０ｃのいずれか一方の側であって振分入賞部４０に近付く方向または遠ざかる方向（すなわち上下方向）に片寄って配置されていてもよい。さらに、第二球通過部４２は、左側壁４０ｂおよび右側壁４０ｃのいずれか一方の側であって振分入賞部４０に近付く方向または遠ざかる方向（すなわち上下方向）に遊技盤１０８の盤面の面内で入球口４０ａを含む仮想平面に平行な方向に片寄って配置されていてもよい。
【００７４】
また、球振り分け装置４は、第二球通過部４２の上方で第二球通過部４２が片寄る方向とは反対方向に第二球通過部４２に対して片寄って配置され、遊技領域１１６を流下した遊技球を受け入れた後に第二球通過部４２に排出可能な第一球通過部（初段球通過部の一例）４１を備えている。球振り分け装置４を正面側から見た場合、第一球通過部４１は、第二球通過部４２に対して右側に片寄って配置され、第二球通過部４２は、振分入賞部４０に対して左側に片寄って配置されている。このように、第一球通過部４１は、第二球通過部４２が振分入賞部４０に対して片寄る方向とは反対方向に第二球通過部４２に対して片寄って配置されている。第一球通過部４１は、第二球通過部４２が片寄る方向とは反対方向に第二受入口４２ａを含む仮想平面に平行な方向に片寄って配置されていてもよい。また、第一球通過部４１は、第二球通過部４２が片寄る方向とは反対方向に遊技盤１０８の盤面の面内で第二受入口４２ａを含む仮想平面に平行な方向に片寄って配置されていてもよい。また、第一球通過部４１は、第二球通過部４２が片寄る方向とは反対方向であって第二球通過部４２に近付く方向または遠ざかる方向（すなわち上下方向）に片寄って配置されていてもよい。さらに、第一球通過部４１は、第二球通過部４２が片寄る方向とは反対方向であって第二球通過部４２に近付く方向または遠ざかる方向（すなわち上下方向）に遊技盤１０８の盤面の面内で第二受入口４２ａを含む仮想平面に平行な方向に片寄って配置されていてもよい。
【００７５】
第一球通過部４１は、振分入賞部４０の上方に設けられて遊技領域１１６を流下する遊技球を受け入れた後に第二球通過部４２に排出可能に構成されている。第二球通過部４２は、振分入賞部４０および第一球通過部４１に挟まれて配置されて第一球通過部４１から排出された遊技球を受け入れた後に振分入賞部４０に排出可能に構成されている。第一球通過部４１、第二球通過部４２および振分入賞部４０は、球振り分け装置４を正面側から見た場合、千鳥配置されている。より具体的には、振分入賞部４０および第一球通過部４１は、球振り分け装置４の上下方向にほぼ一直線上に配置され、第二球通過部４２は、球振り分け装置４の左右方向（本実施形態では左方向）に当該一直線上から半ピッチずらして配置されている。ここで、当該半ピッチは、例えば遊技球の半径に一致する。
【００７６】
したがって、第二球通過部４２は、振分入賞部４０に対して遊技球の半径分だけ左側壁４０ｂ側に片寄っている。第一球通過部４１は、第一球通過部４１に対して遊技球の半径分だけ第二球通過部４２とは反対方向に片寄っている。このように、第一球通過部４１および第二球通過部４２は、互いに反対方向に片寄って配置されるとともに、片寄りの程度が一致しているため、第一球通過部４１と振分入賞部４０とが一直線上に配置されることになる。
【００７７】
より具体的に、第二球通過部４２の中心線ＣＬ２は、振分入賞部４０の入球口４０ａの左側を規定する左側壁４０ｂおよび右側を規定する右側壁４０ｃのうちの左側壁４０ｂの側に片寄っている。第二球通過部４２の中心線ＣＬ２は、振分入賞部４０および第一球通過部４１が並ぶ方向と交差する所定方向に、振分入賞部４０の中心線ＣＬ０および第一球通過部４１の中心線ＣＬ１のそれぞれに対してずらされている。ここで、振分入賞部４０および第一球通過部４１の並ぶ方向は、球振り分け装置４の上下方向である。また、所定方向は、球振り分け装置４の左右方向である。遊技機１００では、第二球通過部４２は、第一球通過部４１および振分入賞部４０に対して球振り分け装置４の右から左に向かう方向にずらされて形成されているが、球振り分け装置４の左から右に向かう方向にずらされて形成されていてもよい。
【００７８】
振分入賞部４０の中心線ＣＬ０は、ベースパネル４５に直交する方向に振分入賞部４０を見た場合、入球口４０ａの中点を通り球振り分け装置４の上下方向に延在する仮想直線である。換言すると、振分入賞部４０の中心線ＣＬ０は、例えば入球口４０ａの中央軸線である。また、第一球通過部４１の中心線ＣＬ１は、ベースパネル４５に直交する方向に第一球通過部４１を見た場合、第一排出口４１ｂ（詳細は後述）の中点を通り球振り分け装置４の上下方向に延在する仮想直線である。換言すると、第一球通過部４１の中心線ＣＬ１は、第一排出口４１ｂの中央軸線に直交し球振り分け装置４の上下方向に延在する仮想直線である。第一球通過部４１の中心線ＣＬ１は、第二球通過部４２が片寄る方向とは反対方向（本実施形態では球振り分け装置４の右側方向）に第二球通過部４２の中心線ＣＬ２に対して片寄って配置される。
【００７９】
第一球通過部４１に対するずれにおける第二球通過部４２の中心線ＣＬ２は、ベースパネル４５に直交する方向に第二球通過部４２を見た場合、第二受入口４２ａ（詳細は後述）の中点を通り球振り分け装置４の上下方向に延在する仮想直線である。換言すると、第二球通過部４２の中心線ＣＬ２は、第二受入口４２ａの中央軸線である。
【００８０】
振分入賞部４０に対するずれにおける第二球通過部４２の中心線ＣＬ２は、ベースパネル４５に直交する方向に第二球通過部４２を見た場合、第二排出口４２ｂ（詳細は後述）の中点を通り球振り分け装置４の上下方向に延在する仮想直線である。換言すると、第二球通過部４２の中心線ＣＬ２は、第二排出口４２ｂの中央軸線に直交し球振り分け装置４の上下方向に延在する仮想直線である。
【００８１】
このように、第二球通過部４２の中心線ＣＬ２は、第一球通過部４１に対する第二球通過部４２のずれにおける中心線と、振分入賞部４０に対する第二球通過部４２のずれにおける中心線との２つが存在する。本実施形態では、ベースパネル４５に直交する方向に第二球通過部４２を見た場合、第二受入口４２ａおよび第二排出口４２ｂが一直線上に重なっている。このため、ベースパネル４５に直交する方向に第二球通過部４２を見た場合、第一球通過部４１に対するずれにおける中心線ＣＬ２と、振分入賞部４０に対するずれにおける中心線ＣＬ２とは、一直線上に存在して共通の直線となる。
【００８２】
遊技機１００では、振分入賞部４０の中心線ＣＬ０および第一球通過部４１の中心線ＣＬ１は、一直線上に存在しており、第二球通過部４２の中心線ＣＬ２は、この一直線上に存在していない。第二球通過部４２の中心線ＣＬ２は、第一球通過部４１の左側壁４１ｃ（詳細は後述）と、第二球通過部４２の直下に配置された振分入賞部４０の左側壁４０ｂ（詳細は後述）の先端部とを通る位置に存在している。また、遊技機１００では、第一球通過部４１の中心線ＣＬ１は、第二球通過部４２の右側壁４２ｄの先端部を通る位置に存在している。
【００８３】
図６に示すように、球振り分け装置４に設けられた第一球通過部４１は、前側部品４Ａの上部に設けられた第一受入部４１１（図７参照）と、後側部品４Ｂに設けられた第一誘導部４１２（図８参照）とを有している。前側部品４Ａを後側部品４Ｂに取り付けた場合に、第一受入部４１１の下半分と第一誘導部４１２の上半分とが対面するようになっている（図６（ｂ）参照）。図８（ａ）および図９中の右側に示すように、第一誘導部４１２は、ベースパネル４５に形成された長方形状の開口部４５１をベースパネル４５の背面側から塞ぐ箱形状を有している。図６に示すように、開口部４５１は、第一受入部４１１の底部４１１ａによって上下に仕切られている。開口部４５１の上側は、底部４４１ａとともに第一誘導部４１２に遊技球を進入させる第一進入口４１２ａを構成する。開口部４５１の下側は、底部４４１ａとともに第一誘導部４１２から遊技球を排出、すなわち第一球通過部４１から遊技球を排出する第一排出口４１ｂを構成する。
【００８４】
第一排出口４１ｂの直下には、第二球通過部４２の右側壁４２３が配置されている。左側壁４２ｃの左側には、第二球通過部４２の第二受入口４２ａが配置されている。右側壁４２３の右側には、遊技球を第２遊技領域１１６ｂに戻すための第一リターン通路４７ａが配置されている。第一球通過部４１を通過して第一排出口４１ｂから排出された遊技球は、第二球通過部４２の右側壁４２３の先端に衝突し、第二球通過部４２および第一リターン通路４７ａのいずれか一方に誘導される。
【００８５】
図６に示すように、球振り分け装置４に設けられた第二球通過部４２は、前側部品４Ａの中央部に設けられた第二受入部４２１（図７参照）と、後側部品４Ｂに設けられた第二誘導部４２２（図８参照）とを有している。前側部品４Ａを後側部品４Ｂに取り付けた場合に、第二受入部４２１と第二誘導部４２２の上半分とが対面するようになっている。図８（ａ）および図９中の右側に示すように、第二誘導部４２２は、ベースパネル４５に形成された長方形状の開口部４５２をベースパネル４５の背面側から塞ぐ箱形状を有している。図６に示すように、開口部４５２は、第二受入部４２１の底部４２１ａによって上下に仕切られている。開口部４５２の上側は、底部４２１ａとともに第二誘導部４２２に遊技球を進入させる第二進入口４２２ａを構成する。開口部４５２の下側は、底部４２１ａとともに第二誘導部４２２から遊技球を排出、すなわち第二球通過部４２から遊技球を排出する第二排出口４２ｂを構成する。
【００８６】
第二排出口４２ｂの直下には、振分入賞部４０の左側壁４０ｂが配置されている。左側壁４０ｂの左側には、遊技球を第２遊技領域１１６ｂに戻すための第二リターン通路４７ｂが配置されている。左側壁４０ｂの右側には、遊技領域１１６を流下する遊技球を入球可能な振分入賞部４０の入球口４０ａが配置されている。入球口４０ａは、第一球通過部４１および第二球通過部４２を介して遊技領域１１６（本実施形態では第２遊技領域１１
６ｂ）を流下する遊技球が入球可能に構成されている。第二球通過部４２を通過して第二排出口４２ｂから排出された遊技球は、振分入賞部４０の左側壁４０ｂの先端に衝突し、振分入賞部４０および第二リターン通路４７ｂのいずれか一方に誘導される。
【００８７】
球振り分け装置４は、第一リターン通路４７ａおよび第二リターン通路４７ｂを球振り分け装置４の外部（本実施形態では第２遊技領域１１６ｂ）に連通させるリターン開口部４７ｃを有している。リターン開口部４７ｃは、振分入賞部４０の下方に設けられている。第一リターン通路４７ａおよび第二リターン通路４７ｂのいずれか一方を流下した遊技球は、リターン開口部４７ｃを通って第２遊技領域１１６ｂに戻り、大入賞口１２６（図３参照）に向かって第２遊技領域１１６ｂを流下することになる。
【００８８】
このように、球振り分け装置４は、第一球通過部４１の第一受入口４１ａから受け入れた遊技球を振分入賞部４０および外部（本実施形態では第２遊技領域１１６ｂ）に振り分けるように構成されている。球振り分け装置４は、第一球通過部４１からの排出時および第二球通過部４２からの排出時の合計２回、遊技球を振り分ける機会を有している。球振り分け装置４は、第一球通過部４１を通過した遊技球を例えば５０％の確率で第二球通過部４２に振り分けるように設計されている。また、球振り分け装置４は、第二球通過部４２を通過した遊技球を例えば５０％の確率で振分入賞部４０に振り分け、７５％の確率で外部に振り分けるように設計されている。したがって、球振り分け装置４は、第一球通過部４１の第一受入口４１ａから受け入れた遊技球を２５％の確率で振分入賞部４０に振り分けることができる。以下、球振り分け装置４の各部の構成について、より詳細に説明する。
【００８９】
（第一球通過部の構成）
図７（ａ）および図９中の左側に示すように、第一球通過部４１を構成する第一受入部４１１は、前面パネル４３の上部、左側壁４１ｃ、右側壁４１ｄおよび底部４１１ａによって、正面側、左右側および底面側を囲まれ、上部および背面側が開放された形状を有している。第一受入部４１１の正面側は、前面パネル４３の上部で構成されている。第一受入部４１１の左側壁４１ｃおよび右側壁４１ｄは、前側部品４Ａに形成された外壁部４４の上側の部分で構成されている。第一受入部４１１の底部４１１ａは、左側壁４１ｃと右側壁４１ｄとの間に張り渡されており、外壁部４４と一体に形成されている。左側壁４１ｃおよび右側壁４１ｄの上部は、湾曲している。これにより、第２遊技領域１１６ｂから球振り分け装置４に進入する遊技球の勢いが低減され、遊技球が球振り分け装置４の中を円滑に通過することが可能になる。
【００９０】
前側部品４Ａおよび後側部品４Ｂを組み合わせることにより、左側壁４１ｃおよび右側壁４１ｄのそれぞれの上部端部と、当該上部端部の間に位置する前面パネル４３の上部端部と、当該上部端部の間に位置するベースパネル４５の上部端部とで囲まれて形成される開口が第一球通過部４１の第一受入口４１ａとなる（図６参照）。第一球通過部４１に設けられた第一受入口４１ａは、遊技領域１１６を流下する遊技球を受け入れ可能に構成されている。第一受入口４１ａを端部とし、第一受入部４１１とベースパネル４５とによって囲まれて形成される空間の遊技球の流下方向における断面は、遊技球が１つずつ通過できる大きさに形成されている。また、第一受入部４１１の当該空間には、前面パネル４３と底部４１１ａに跨って形成された２個の第一前段案内リブ４１１ｂが形成されている。２個の第一前段案内リブ４１１ｂが、左側壁４１ｃと右側壁４１ｄとの間で所定間隔で並んで配置されている。２個の第一前段案内リブ４１１ｂは、球振り分け装置４を正面側から見た場合、第一球通過部４１の中心線ＣＬ１に対して線対称の関係にある。図７（ｂ）に示すように、第一前段案内リブ４１１ｂは、前面パネル４３からベースパネル４５（図６（ｂ）参照）５に向かって傾斜する傾斜面を有している。この傾斜面は、前面パネル４３および底部４１１ａに向かう凹状に形成されている。第一受入口４１ａから受け入れられた遊技球は、第一前段案内リブ４１１ｂに案内されて第一進入口４１２ａ（図６（ａ）参照）から第一誘導部４１２に進入する。
【００９１】
図８（ｂ）および図９中の右側に示すように、第一誘導部４１２は、ベースパネル４５の背面側に突出する箱形状を有している。これにより、第一球通過部４１は、第一受入口４１ａから受け入れた遊技球を遊技盤１０８の背面に誘導した後に第一排出口４１ｂから排出可能に設けられている。第一誘導部４１２の空間は、遊技球の誘導方向における断面が遊技球を１つずつ通過可能な大きさを有している。また、第一誘導部４１２の空間には、上部、背面部および底部に跨って形成された第一後段案内リブ４１２ｂが形成されている。２個の第一後段案内リブ４１２ｂが、側壁の間で所定間隔で並んで配置されている。図８（ｂ）に示すように、第一後段案内リブ４１２ｂは、上部から背面部に向かって傾斜する傾斜面と、背面部において僅かに背面側に傾斜する傾斜面と、背面部から開口部４５１に向かって２段階で傾斜する傾斜面とが連続する全体として凹状面を有している。第一誘導部４１２を通過する遊技球は、第一後段案内リブ４１２ｂに案内されて第一排出口４１ｂから排出される。第一球通過部４１に設けられた第一排出口４１ｂは、第一受入口４１ａから受け入れた遊技球を排出可能に構成されている。
【００９２】
図６（ａ）に示すように、球振り分け装置４を正面側から見た場合に、２個の第一前段案内リブ４１１ｂは、２個の第一後段案内リブ４１２ｂの上側部分と重なっている。このため、第一球通過部４１は、遊技球が第一前段案内リブ４１１ｂで案内されている状態を第一後段案内リブ４１２ｂにそのまま引き継ぐことができる。これにより、第一球通過部４１は、第一受入部４１１から第一誘導部４１２に遊技球を円滑に転動させることができる。また、遊技球は、２個の第一前段案内リブ４１１ｂの間に形成される溝に一部分が挟まれながら当該溝に沿って転動する。同様に、遊技球は、２個の第一後段案内リブ４１２ｂの間に形成される溝に一部分が挟まれながら当該溝に沿って転動する。このように、第一球通過部４１は、２個の第一前段案内リブ４１１ｂおよび２個の第一後段案内リブ４１２ｂで遊技球を案内することによって、第２遊技領域１１６ｂを転動しながら流下することによって遊技球に生じる球ぶれを低減することができる。特に、全体に亘って２個の第一後段案内リブ４１２ｂが形成されている第一誘導部４１２は、球ぶれを低減する整流路としての機能を発揮するようになっている。
【００９３】
（第二球通過部の構成）
図７（ａ）および図９中の左側に示すように、第二球通過部４２を構成する第二受入部４２１は、前面パネル４３の中央部、右側壁４２ｄ、左側壁４２ｃ（図６（ａ）参照）および底部４２１ａによって、正面側、左右側および底面側が囲まれ、上部および背面側が開放された形状を有している。第二受入部４２１の正面側は、前面パネル４３の中央部で構成されている。第二受入部４２１の右側壁４２ｄは、前側部品４Ａの右側に形成された外壁部４４の中央部分で構成されている。第二受入部４２１の左側壁４２ｃは、前側部品４Ａに形成された四角錐台形状の下側壁部４２３ｂと、後側部品４Ｂに形成された直角三角柱形状の上側壁部４２３ａ（図８（ａ）参照）とを重ねて構成されている。左側壁４２ｃは、全体で直角三角柱形状を有している。第二受入部４２１の底部４２１ａは、右側壁４２ｄと下側壁部４２３ｂとの間に張り渡されており、外壁部４４と一体に形成されている。
【００９４】
左側壁４２ｃは、第二球通過部４２の左側壁となる。左側壁４２ｃに対向する右側壁４２ｄの部分は、第二球通過部４２の右側壁となる。詳細は後述するが、右側壁４２ｄの斜面部は、第一リターン通路４７ａを構成する側壁となる。第一球通過部４１の直下に配置された左側壁４２ｃの辺が第一球通過部４１から排出された遊技球を第二球通過部４２および第一リターン通路４７ａのいずれかに振り分ける起点となる。
【００９５】
前側部品４Ａおよび後側部品４Ｂを組み合わせることにより、左側壁４２ｃおよび右側壁４２ｄのそれぞれの上部端部と、当該上部端部の間に位置する前面パネル４３の部分と、当該上部端部の間に位置するベースパネル４５の部分とで囲まれて形成される開口が第二球通過部４２の第二受入口４２ａとなる。第二球通過部４２に設けられた第二受入口４２ａは、第一球通過部４１から排出された遊技球を受け入れ可能に構成されている。第二受入口４２ａを端部とし、第二受入部４２１とベースパネル４５とによって囲まれて形成される第二受入部４２１の空間の遊技球の流下方向における断面は、遊技球が１つずつ通過できる大きさに形成されている。また、第二受入部４２１の当該空間には、前面パネル４３と底部４２１ａに跨って形成された２個の第二前段案内リブ４２１ｂが形成されている。２個の第二前段案内リブ４２１ｂが、左側壁４２ｃと右側壁４２ｄとの間で所定間隔で並んで配置されている。図７（ｂ）に示すように、第二前段案内リブ４２１ｂは、第一前段案内リブ４１１ｂと同一の形状を有している。第二受入口４２ａから受け入れられた遊技球は、第二前段案内リブ４２１ｂに案内されて第二進入口４２２ａから第二誘導部４２２に進入する。
【００９６】
球振り分け装置４を正面から見た場合、右側壁４２ｄは、第一球通過部４１の第一排出口４１ｂの中央下方に配置されている。つまり、第二受入口４２ａを形成する第二球通過部４２の右側壁４２ｄの端部（側壁端部の一部の一例）は、第一排出口４１ｂの中央下方に配置されている。右側壁４２ｄは、直角三角柱形状を有し、振分入賞部４０の中心線ＣＬ０上から右側に張り出した形状を有している。このため、右側壁４０ｃを含み中心線ＣＬ２よりも右側に位置する第二球通過部４２の部位（球通過部の一部の一例）は、振分入賞部４０の入球口４０ａと所定の間隙を設けて振分入賞部４０の左側壁４０ｂおよび右側壁４０ｃに跨って配置される。これにより、第一球通過部４１の第一排出口４１ｂから排出された遊技球が第一リターン通路４７ａを通過して振分入賞部４０に入賞し難くなる。
【００９７】
図８（ｂ）および図９中の右側に示すように、第二誘導部４２２は、ベースパネル４５の背面側に突出する箱形状を有している。これにより、第二球通過部４２は、第一排出口４１ｂから排出された遊技球を遊技盤１０８の背面に誘導した後に第二排出口４２ｂから排出可能に設けられている。第二誘導部４２２の空間は、遊技球の誘導方向における断面が遊技球を１つずつ通過可能な大きさを有している。また、第二誘導部４２２の空間には、上部、背面部および底部に跨って形成された２個の第二後段案内リブ４２２ｂが形成されている。２個の第二後段案内リブ４２２ｂが、側壁の間で所定間隔で並んで配置されている。図８（ｂ）に示すように、第二後段案内リブ４２２ｂは、第一後段案内リブ４１２ｂと同一の形状を有している。第二誘導部４２２を通過する遊技球は、第二後段案内リブ４２２ｂに案内されて第二排出口４２ｂから排出される。第二球通過部４２に設けられた第二排出口４２ｂは、第二受入口４２ａから受け入れた遊技球を振分入賞部４０に排出可能に構成されている。
【００９８】
図６（ａ）に示すように、球振り分け装置４を正面側から見た場合に、２個の第二前段案内リブ４２１ｂは、２個の第二後段案内リブ４２２ｂの上側部分と重なっている。このため、第二球通過部４２は、遊技球が第二前段案内リブ４２１ｂで案内されている状態を第二後段案内リブ４２２ｂにそのまま引き継ぐことができる。これにより、第二球通過部４２は、第二受入部４２１から第二誘導部４２２に遊技球を円滑に転動させることができる。また、遊技球は、２個の第二前段案内リブ４２１ｂの間に形成される溝に一部分が挟まれながら当該溝に沿って転動する。同様に、遊技球は、２個の第二後段案内リブ４２２ｂの間に形成される溝に一部分が挟まれながら当該溝に沿って転動する。このため、第二球通過部４２は、２個の第二前段案内リブ４２１ｂおよび２個の第二後段案内リブ４２２ｂで遊技球を案内することによって、第一球通過部４１で低減された遊技球の球ぶれをさらに低減することができる。特に、全体に亘って２個の第二後段案内リブ４２２ｂが形成されている第二誘導部４２２は、球ぶれを低減する整流路としての機能を発揮するようになっている。
【００９９】
（振分入賞部の構成）
図８（ｂ）および図９中の右側に示すように、振分入賞部４０は、ベースパネル４５から正面側に向かって突出して形成されている。振分入賞部４０の左側壁４０ｂ、右側壁４０ｃおよび底部４０ｄは、二重枠構造を有している。振分入賞部４０は、左側壁４０ｂ、右側壁４０ｃ、底部４０ｄ、および底部４０ｄの正面側を塞いで形成された正面壁部４０ｅとで囲まれ、上部および背面側が開放された形状を有している。底部４０ｄの内側構造壁は、底部４０ｄの外側構造壁に向かって半円状に突出する形状を有している。正面壁部４０ｅは、底部４０ｄの内側構造壁、左側壁４０ｂの内側構造壁の一部、および右側壁４０ｃの内側構造壁の一部に倣う形状を有している。振分入賞部４０の背面側には、ベースパネル４５を開口して形成された排出口４０ｆが形成されている。排出口４０ｆは、排出部品４Ｃの排出通路４６（図５参照）と振分入賞部４０とを連通するために形成された開口部である。排出口４０ｆは、左側壁４０ｂの内側構造壁、右側壁４０ｃの内側構造壁および底部４０ｄで囲まれたベースパネル４５の領域を開口して形成されている。
【０１００】
詳細は後述するが、左側壁４０ｂの外側構造壁は、第二リターン通路４７ｂを構成する側壁となり、右側壁４０ｃの外側構造壁は、第一リターン通路４７ａを構成する側壁となる。
【０１０１】
前側部品４Ａおよび後側部品４Ｂを組み合わせることにより、左側壁４０ｂおよび右側壁４０ｃのそれぞれの上部端部と、当該上部端部の間に位置する前面パネル４３の部分と、当該上部端部の間に位置するベースパネル４５の部分とで囲まれて形成される開口が振分入賞部４０の入球口４０ａとなる。入球口４０ａを端部とし、振分入賞部４０とベースパネル４５とによって囲まれて形成される振分入賞部４０の空間の遊技球の流下方向における断面は、遊技球が１つずつ通過できる大きさに形成されている。また、振分入賞部４０の当該空間には、前面パネル４３と底部４０ｄに跨って形成された１個の案内リブ４０１が形成されている。図８（ｂ）に示すように、案内リブ４０１は、前面パネル４３から排出口４０ｆに向かって傾斜する傾斜面を有している。この傾斜面は、前面パネル４３および底部４０ｄに向かう凹状に形成されている。入球口４０ａから振分入賞部４０に入球した遊技球は、案内リブ４０１に案内されて排出口４０ｆから排出部品４Ｃに排出される。
【０１０２】
図６（ａ）に示すように、球振り分け装置４を正面から見た場合、左側壁４０ｂは、第二球通過部４２の第二排出口４２ｂの中央下方に配置されている。つまり、入球口４０ａを形成する振分入賞部４０の左側壁４０ｂの端部（側壁端部の一部の一例）は、第二排出口４２ｂの中央下方に配置されている。
【０１０３】
上述のとおり、球振り分け装置４には、遊技球が振分入賞部４０に入球しない場合の経路として第一リターン通路４７ａおよび第二リターン通路４７ｂが設けられている。第一リターン通路４７ａおよび第二リターン通路４７ｂはそれぞれ、振分入賞部４０の下方に形成されたリターン開口部４７ｃを終端としている。このため、第一リターン通路４７ａおよび第二リターン通路４７ｂは、球振り分け装置４の外部（本実施形態では第２遊技領域１１６ｂ）に開放された空間となる。
【０１０４】
（第一リターン通路および第二リターン通路の構成）
図６（ａ）に示すように、第一リターン通路４７ａは、前面パネル４３、ベースパネル４５、前側部品４Ａの外壁部４４の一部である右障壁部４４ｂ、右側壁４２ｄの斜面部、および振分入賞部４０の右側壁４０ｃで囲まれて形成された空間である。右障壁部４４ｂは、外壁部４４のうち右側に配置されて右側壁４１ｄを除く部分に相当する。遊技球の流下方向における第一リターン通路４７ａの断面は、遊技球が１つずつ通過できる大きさに形成されている。また、右側壁４２ｄと振分入賞部４０との間の空間は、第一リターン通路４７ａと連通し、かつ遊技球が通過可能な大きさを有している。しかしながら、当該空間は、右側壁４２ｄの斜面部および振分入賞部４０の右側壁４０ｃの端部によって、右斜め下方に向いて開口している。このため、第一リターン通路４７ａを流下する遊技球は、当該空間にほとんど進入せずに、振分入賞部４０の下方に形成されたリターン開口部４７ｃを介して球振り分け装置４の外部に放出される。
【０１０５】
図６（ａ）に示すように、第二リターン通路４７ｂは、前面パネル４３、ベースパネル４５、前側部品４Ａの外壁部４４の一部である左障壁部４４ａ、および振分入賞部４０の左側壁４０ｂで囲まれて形成された空間である。左障壁部４４ａは、外壁部４４のうち左側下部の部分に相当する。遊技球の流下方向における第二リターン通路４７ｂの断面は、遊技球が１つずつ通過できる大きさに形成されている。第二リターン通路４７ｂを流下する遊技球は、振分入賞部４０の下方に形成されたリターン開口部４７ｃを介して球振り分け装置４の外部に放出される。
【０１０６】
（球振り分け装置の作用・効果）
次に、球振り分け装置４の作用・効果について図１０を用いて説明する。
第二球通過部４２は、振分入賞部４０に対して一方側（本実施形態では左側）に片寄って配置されている。これにより、第二球通過部４２の第二排出口４２ｂのほぼ中央に振分入賞部４０の左側壁４０ｂの先端部（すなわち入球口４０ａの開口端部）が配置される。このため、図１０に示すように、第二排出口４２ｂの右側下方には振分入賞部４０が配置され、第二排出口４２ｂの左側下方には第二リターン通路４７ｂが配置される。このように、球振り分け装置４は、振分入賞部４０に対して第二球通過部４２（特に第二排出口４２ｂ）を片寄らせて配置することにより、第二排出口４２ｂから排出された遊技球を振分入賞部４０の左側壁４０ｂの先端部に衝突させて振分入賞部４０および第二リターン通路４７ｂにほぼ半々の割合で無作為に振り分けることができる。このため、遊技機１００は、第２遊技領域１１６ｂを流下した遊技球が球振り分け装置４に受け入れられて振分入賞部４０および第二リターン通路４７ｂのいずれに進入するのかを遊技者に注目させることができる。
【０１０７】
振分入賞部４０に遊技球が入球すると、所定の賞球が得られるため、遊技者は利益を得られる。遊技球が第二リターン通路４７ｂに進入しても所定の賞球は得られないが、図３に示すように、第二リターン通路４７ｂの下流には、大入賞口１２６が設けられている。このため、大役遊技が実行されている場合には、遊技球が振分入賞部４０に振り分けられるよりも第二リターン通路４７ｂに振り分けられた方が遊技者はより多くの利益を得られる。このように、遊技機１００は、遊技球の振り分け方向を遊技性やゲーム性（大役遊技の実行中か否かなど）に関連させて遊技者の遊技の興趣の向上を図ることができる。
【０１０８】
第一球通過部４１は、第二球通過部４２に対して片寄って配置（本実施形態では第二球通過部４２の右側）されている。このため、図１０に示すように、第一球通過部４１の第一排出口４１ｂから排出された遊技球は、第二球通過部４２の第二受入口４２ａの右側を規定する右側壁４２ｄの先端部に衝突させて第二球通過部４２および第一リターン通路４７ａのいずれか一方に無作為に振り分けられる。第二球通過部４２の下流には振分入賞部４０が配置され、第一リターン通路４７ａの下流には大入賞口１２６が配置されている（図３参照）。このため、遊技機１００は、第一球通過部４１から排出する遊技球の振り分け方向を遊技性やゲーム性（大役遊技の実行中か否かなど）に関連させることができるので、遊技者の遊技の興趣の向上を図ることができる。
【０１０９】
次に、遊技機１００の他の作用・効果について説明する。遊技機１００は、遊技店に設置された島設備に取り付けられる。遊技機１００は、島設備の取り付け状態によって、振分入賞部４０に入球する遊技球の割り合い（入賞率）に機体差が生じる場合がある。例えば、遊技機１００は、島設備に水平に取り付けられる場合がある。また、遊技機１００は、左側が右側よりも高くなって右下がりに傾斜した状態で取り付けられる場合があるさらに、遊技機１００は、左側が右側よりも低くなって右上がりに傾斜した状態で取り付けられる場合がある。
【０１１０】
遊技機１００が水平な状態で島設備に取り付けられた場合には、図１０に示すように、球振り分け装置４の第一球通過部４１から排出される遊技球Ｂは、第二球通過部４２の右側壁４２３の先端部に衝突して矢印Ｙ１の方向および矢印Ｙ２の方向にそれぞれ例えば５０％の確率で弾かれる。遊技球Ｂは、右側壁４２３によって矢印Ｙ１の方向に弾かれた場合には、第二球通過部４２に誘導される。一方、遊技球Ｂは、右側壁４２３によって矢印Ｙ２の方向に弾かれた場合には、第一リターン通路４７ａに誘導される。この場合、遊技球Ｂは、球振り分け装置４に設けられたリターン開口部４７ｃ（図１０では不図示）を通って第２遊技領域１１６ｂ（図１０では不図示）に放出される。
【０１１１】
図１０に示すように、第二球通過部４２に誘導された遊技球Ｂは、振分入賞部４０の左側壁４０ｂの先端部に衝突して矢印Ｙ３の方向および矢印Ｙ４の方向にそれぞれ例えば５０％の確率で弾かれる。遊技球Ｂは、左側壁４０ｂによって矢印Ｙ３の方向に弾かれた場合には、第二リターン通路４７ｂに誘導される。この場合、遊技球Ｂは、球振り分け装置４に設けられたリターン開口部４７ｃ（図１０では不図示）を通って第２遊技領域１１６ｂ（図１０では不図示）に放出される。一方、遊技球Ｂは、左側壁４０ｂによって矢印Ｙ４の方向に弾かれた場合には、振分入賞部４０に誘導される。この場合、遊技球Ｂは、排出部品４Ｃ（図１０では不図示）に放出されて、排出部品４Ｃに設けられた振分入賞部検出スイッチ４０ｓによって振分入賞部４０への入球が検出される。
【０１１２】
このように、遊技機１００が水平な状態で島設備に取り付けられた場合には、球振り分け装置４は、２５％（＝５０％×５０％）の確率で遊技球を振分入賞部４０に振り分けることができる。
【０１１３】
遊技機１００が右下がりに傾斜した状態で島設備に取り付けられた場合、遊技球は、右側に流下し易くなる。この場合、球振り分け装置４の第一球通過部４１から排出される遊技球Ｂは、第二球通過部４２の右側壁４２３の先端部に衝突すると、矢印Ｙ１よりも矢印Ｙ２の方向に弾かれ易くなる。このため、遊技球Ｂは、右側壁４２３の先端部によって、矢印Ｙ１の方向に例えば４０％の確率で弾かれ、矢印Ｙ２の方向に例えば６０％の確率で弾かれるとする。そうすると、遊技球Ｂは、右側壁４２３によって、４０％の確率で第二球通過部４２に誘導され、６０％の確率で第一リターン通路４７ａに誘導される。
【０１１４】
第二球通過部４２に誘導された遊技球Ｂは、振分入賞部４０の左側壁４０ｂの先端部に衝突して、矢印Ｙ３の方向に例えば４０％の確率で弾かれ、矢印Ｙ４の方向に例えば６０％の確率で弾かれる。このため、遊技球Ｂは、左側壁４０ｂによって、４０％の確率で第二リターン通路４７ｂに誘導され、６０％の確率で振分入賞部４０に誘導される。
【０１１５】
その結果、遊技機１００が右下がりに傾斜した状態で島設備に取り付けられた場合には、球振り分け装置４は、２４％（＝４０％×６０％）の確率で遊技球を振分入賞部４０に振り分けることができる。
【０１１６】
また、遊技機１００が右上がりに傾斜した状態で島設備に取り付けられた場合、球振り分け装置４を通過する遊技球Ｂは、矢印Ｙ１および矢印Ｙ３の方向には例えば６０％の確率で弾かれ、矢印Ｙ２および矢印Ｙ４の方向には例えば４０％の確率で弾かれるとする。このため、球振り分け装置４は遊技球Ｂを、第一球通過部４１から第二球通過部４２に６０％の確率で誘導し、第二球通過部４２から振分入賞部４０に４０％の確率で誘導する。その結果、遊技機１００が右下がりに傾斜した状態で島設備に取り付けられた場合には、球振り分け装置４は、２４％（＝６０％×４０％）の確率で遊技球を振分入賞部４０に振り分けることができる。
【０１１７】
ところで、第一球通過部が第二球通過部対して一の方向に片寄って配置され、第二球通過部が振分入賞部に対して当該一の方向と反対方向に片寄って配置されておらず、第一球通過部、第二球通過部および振分入賞部が一直線上に配置されているとする。また、遊技機が島設備に、水平な状態で設置されている場合、右下がりの状態で設置されている場合、および右上がりの状態で設置されている場合に、遊技球が矢印Ｙ１，Ｙ２，Ｙ３，Ｙ４の方向に誘導される確率を上述の例と同様とする。
【０１１８】
そうすると、遊技機が水平な状態で島設備に設置されている場合には、球振り分け装置が振分入賞部に遊技球を振り分ける確率は、２５％（＝５０％×５０％）となる。また、遊技機が右下がりの状態で島設備に設置されている場合には、球振り分け装置が振分入賞部に遊技球を振り分ける確率は、１６％（＝４０％×４０％）となる。また、遊技機が右上がりの状態で島設備に設置されている場合には、球振り分け装置が振分入賞部に遊技球を振り分ける確率は、３６％（＝６０％×６０％）となる。
【０１１９】
このように、本実施形態における球振り分け装置４は、第一球通過部、第二球通過部および振分入賞部が一直線上に配置された球振り分け装置と比較して、島設備への設置状態に起因する振分入賞部４０の入賞率の機体差を低減できる。
【０１２０】
また、図８および図９に示すように、第一排出口４１ｂを構成する開口部４５１と、第一排出口４１ｂから排出された遊技球の誘導方向を決定する右側壁４２３を構成する上側壁部４２３ａとがベースパネル４５、すなわち同一の部材に形成されている。このため、第一排出口４１ｂと右側壁４２３との相対位置の誤差は、ベースパネル４５の製造誤差のみであり、前側部品４Ａを後側部品４Ｂに取り付ける際の取り付け誤差は含まれない。また、第二排出口４２ｂを構成する開口部４５２と、第二排出口４２ｂから排出された遊技球の誘導方向を決定する左側壁４０ｂとがベースパネル４５、すなわち同一の部材に形成されている。このため、第二排出口４２ｂと左側壁４０ｂとの相対位置の誤差は、ベースパネル４５の製造誤差のみであり、前側部品４Ａを後側部品４Ｂに取り付ける際の取り付け誤差は含まれない。
【０１２１】
さらに、第一排出口４１ｂを構成する開口部４５１、右側壁４２３を構成する上側壁部４２３ａ、第二排出口４２ｂを構成する開口部４５２および左側壁４０ｂがベースパネル４５、すなわち同一の部材に形成されている。このため、第二球通過部４２の右側壁４２ｄにおける遊技球の左右方向への振り分け割合の設計値に対する誤差と、振分入賞部４０の左側壁４０ｂにおける遊技球の左右方向への振り分け割合の設計値に対する誤差との組み合わせの機体差が低減される。
【０１２２】
また、球振り分け装置４は、遊技盤１０８に固定されるための固定部を複数箇所（本実施形態では４箇所）有しているので、遊技盤１０８への取り付け状態の機体差を低減できる。
【０１２３】
その結果、振分入賞部４０への入賞が、島設備への遊技機１００の設置状態や球振り分け装置４の遊技盤１０８への取り付け状態などの環境差、および球振り分け装置４の製造誤差の影響を受けにくいので、遊技機１００は、安定したベース（出玉率）を確保できる。
【０１２４】
以上説明したように、本実施形態による遊技機１００は、振分入賞部４０の上方に設けられて振分入賞部４０に対して所定方向（例えば遊技機１００の左方向）に片寄って配置された第二球通過部４２を有する球振り分け装置４を備えている。また、遊技機１００に備えられた球振り分け装置４は、第二球通過部４２の上方に設けられて第二球通過部４２に対して所定方向（例えば遊技機１００の右方向）に片寄って配置された第一球通過部４１を有している。これにより、遊技機１００は、第一球通過部４１の第一排出口４１ｂから排出された遊技球および第二球通過部４２の第二排出口４２ｂから排出された遊技球の行方（振り分け方向）を遊技者に注目させることができる。さらに、遊技機１００は、第一排出口４１ｂから排出する遊技球の振り分け方向に対する遊技者の利益と、第二排出口４２ｂから排出する遊技球の振り分け方向に対する遊技者の利益とを遊技状態によって変更することができる。これにより、遊技機１００は、第一球通過部４１から排出する遊技球および第二球通過部４２から排出する遊技球の振り分け方向を遊技性やゲーム性（大役遊技の実行中か否かなど）に関連させることができるので、遊技者の遊技に対する興趣の向上を図ることができる。
【０１２５】
また、遊技機１００は、振分入賞部４０に対する第二球通過部４２の片寄の方向と、第二球通過部４２に対する第一球通過部４１の片寄の方向とを反対方向することにより、千鳥配置された第一球通過部４１、第二球通過部４２および振分入賞部４０を有する球振り分け装置４を備えている。これにより、第二球通過部４２の第二受入口４２ａの中心線（第一球通過部４１に対するずれにおける第二球通過部４２の中心線ＣＬ２）は、第一排出口４１ｂの中心線（第一球通過部４１の中心線ＣＬ１）に対して所定方向（第一球通過部４１および振分入賞部４０が並ぶ方向に対して交差する方向）にずらされる。また、第二球通過部４２の第二排出口４２ｂの中心線（振分入賞部４０に対するずれにおける第二球通過部４２の中心線ＣＬ２）は、振分入賞部４０の入球口４０ａの中心線（振分入賞部４０の中心線ＣＬ０）に対して所定方向（第一球通過部４１および振分入賞部４０が並ぶ方向に対して交差する方向）にずらされる。
【０１２６】
このような構成を備えた遊技機１００によれば、遊技球が所定領域（例えば入賞口としての振分入賞部）に誘導される割合の機体差を低減することができる。その結果、遊技機１００は、安定したベース（出玉率）を確保できる。
【０１２７】
（球振り分け装置の他の構成例）
次に、本実施形態による遊技機１００に備えられる球振り分け装置の他の構成例について図１１および図１２を用いて説明する。他の構成例としての球振り分け装置５は、球振り分け装置４と同様に、ユニット化されており、遊技機１００の遊技領域（例えば第２遊技領域１１６ｂ）に取り付けられるようになっている。
【０１２８】
図１１および図１２に示すように、球振り分け装置５は、遊技領域（図１１および図１２では不図示）を流下した遊技球が進入可能な入球口（進入口の一例）５０ａと、入球口５０ａを形成する左側壁５０ｂおよび右側壁５０ｃとを有する振分入賞部（進入部の一例）５０を備えている。入球口５０ａは、左側壁５０ｂ、右側壁５０ｃ、前面パネル５３の一部およびベースパネル５５の一部で形成されている。振分入賞部５０は、遊技領域を流下する遊技球の入球に基づき所定の賞球が遊技者に払い出されるように構成されている。
【０１２９】
球振り分け装置５は、振分入賞部５０の上方に設けられて遊技領域を流下した遊技球を受け入れた後に振分入賞部５０に排出可能な第二球通過部（球通過部の一例）５２を備えている。第二球通過部５２は、振分入賞部５０の入球口５０ａを形成する側壁のうちの左側を規定する左側壁５０ｂおよび右側を規定する右側壁５０ｃのいずれか一方の側（本例では左側壁５０ｂの側）に片寄って配置されている。第二球通過部５２は、左側壁５０ｂおよび右側壁５０ｃのいずれか一方の側に入球口５０ａを含む仮想平面に平行な方向に片寄って配置されていてもよい。また、第二球通過部５２は、左側壁５０ｂおよび右側壁５０ｃのいずれか一方の側に遊技盤の盤面の面内で入球口５０ａを含む仮想平面に平行な方向に片寄って配置されていてもよい。また、第二球通過部５２は、左側壁５０ｂおよび右側壁５０ｃのいずれか一方の側であって振分入賞部５０に近付く方向または遠ざかる方向（すなわち上下方向）に片寄って配置されていてもよい。さらに、第二球通過部５２は、左側壁５０ｂおよび右側壁５０ｃのいずれか一方の側であって振分入賞部５０に近付く方向または遠ざかる方向（すなわち上下方向）に遊技盤の盤面の面内で入球口５０ａを含む仮想平面に平行な方向に片寄って配置されていてもよい。
【０１３０】
また、球振り分け装置５は、第二球通過部５２の上方で第二球通過部５２が片寄る方向とは反対方向に第二球通過部５２に対して片寄って配置され、遊技領域を流下した遊技球を受け入れた後に第二球通過部５２に排出可能な第一球通過部（初段球通過部の一例）５１を備えている。球振り分け装置５を正面側から見た場合、第一球通過部５１は、第二球通過部５２に対して右側に片寄って配置され、第二球通過部５２は、振分入賞部５０に対して左側に片寄って配置されている。このように、第一球通過部５１は、第二球通過部５２が振分入賞部５０に対して片寄る方向とは反対方向に第二球通過部５２に対して片寄って配置されている。第一球通過部５１は、第二球通過部５２が片寄る方向とは反対方向に第二受入口５２ａを含む仮想平面に平行な方向に片寄って配置されていてもよい。また、第一球通過部５１は、第二球通過部５２が片寄る方向とは反対方向に遊技盤の盤面の面内で第二受入口５２ａを含む仮想平面に平行な方向に片寄って配置されていてもよい。また、第一球通過部５１は、第二球通過部５２が片寄る方向とは反対方向であって第二球通過部５２に近付く方向または遠ざかる方向（すなわち上下方向）に片寄って配置されていてもよい。さらに、第一球通過部５１は、第二球通過部５２が片寄る方向とは反対方向であって第二球通過部５２に近付く方向または遠ざかる方向（すなわち上下方向）に遊技盤の盤面の面内で第二受入口５２ａを含む仮想平面に平行な方向に片寄って配置されていてもよい。
【０１３１】
第一球通過部５１は、振分入賞部５０の上方に設けられて遊技領域を流下する遊技球を受け入れた後に第二球通過部５２に排出可能に構成されている。第二球通過部５２は、振分入賞部５０および第一球通過部５１に挟まれて配置されて第一球通過部５１から排出された遊技球を受け入れた後に振分入賞部５０に排出可能に構成されている。図１２（ａ）に示すように、第一球通過部５１、第二球通過部５２および振分入賞部５０は、球振り分け装置５を正面側から見た場合、千鳥配置されている。より具体的には、振分入賞部５０および第一球通過部５１は、球振り分け装置５の上下方向にほぼ一直線上に配置され、第二球通過部５２は、球振り分け装置４の左右方向（本実施形態では左方向）に当該一直線上から半ピッチずらして配置されている。ここで、当該半ピッチは、例えば遊技球の半径に一致する。
【０１３２】
したがって、第二球通過部５２は、振分入賞部５０に対して遊技球の半径分だけ左側壁５０ｂ側に片寄っている。第一球通過部５１は、第一球通過部５１に対して遊技球の半径分だけ第二球通過部５２とは反対方向に片寄っている。このように、第一球通過部５１および第二球通過部５２は、互いに反対方向に片寄って配置されるとともに、片寄りの程度が一致しているため、第一球通過部５１と振分入賞部５０とが一直線上に配置されることになる。
【０１３３】
第二球通過部５２の中心線ＣＬ１２は、振分入賞部５０の入球口５０ａの左側を規定する左側壁５０ｂおよび右側を規定する右側壁５０ｃのうちの左側壁５０ｂの側に片寄っている。第二球通過部５２の中心線ＣＬ１２は、振分入賞部５０および第一球通過部５１が並ぶ方向と交差する所定方向に、振分入賞部５０の中心線ＣＬ１０および第一球通過部５１の中心線ＣＬ１１のそれぞれに対してずらされている。ここで、振分入賞部５０および第一球通過部５１の並ぶ方向は、球振り分け装置５の上下方向である。また、所定方向は、球振り分け装置５の左右方向である。遊技機１００では、第二球通過部５２は、第一球通過部５１および振分入賞部５０に対して球振り分け装置５の右から左に向かう方向にずらされて形成されているが、球振り分け装置５の左から右に向かう方向にずらされて形成されていてもよい。
【０１３４】
振分入賞部５０の中心線ＣＬ１０は、ベースパネル５５に直交する方向に振分入賞部５０を見た場合、入球口５０ａの中点を通り球振り分け装置５の上下方向に延在する仮想直線である。換言すると、振分入賞部５０の中心線ＣＬ１０は、例えば入球口５０ａの中央軸線である。また、第一球通過部５１の中心線ＣＬ１１は、ベースパネル５５に直交する方向に第一球通過部５１を見た場合、第一排出口５１ｂの中点を通り球振り分け装置５の上下方向に延在する仮想直線である。換言すると、第一球通過部５１の中心線ＣＬ１１は、第一排出口５１ｂの中央軸線に直交し球振り分け装置５の上下方向に延在する仮想直線である。第一球通過部５１の中心線ＣＬ１１は、第二球通過部５２が片寄る方向とは反対方向（本実施形態では球振り分け装置５の右側方向）に第二球通過部５２の中心線ＣＬ１２に対して片寄って配置される。
【０１３５】
第一球通過部５１に対するずれにおける第二球通過部５２の中心線ＣＬ１２は、ベースパネル５５に直交する方向に第二球通過部５２を見た場合、第二受入口５２ａの中点を通り球振り分け装置５の上下方向に延在する仮想直線である。換言すると、第二球通過部５２の中心線ＣＬ１２は、第二受入口５２ａの中央軸線である。
【０１３６】
振分入賞部５０に対するずれにおける第二球通過部５２の中心線ＣＬ１２は、ベースパネル５５に直交する方向に第二球通過部５２を見た場合、第二排出口５２ｂの中点を通り球振り分け装置５の上下方向に延在する仮想直線である。換言すると、第二球通過部５２の中心線ＣＬ１２は、第二排出口５２ｂの中央軸線に直交し球振り分け装置５の上下方向に延在する仮想直線である。
【０１３７】
このように、第二球通過部５２の中心線ＣＬ１２は、第一球通過部５１に対する第二球通過部５２のずれにおける中心線と、振分入賞部５０に対する第二球通過部５２のずれにおける中心線との２つが存在する。本実施形態では、ベースパネル５５に直交する方向に第二球通過部５２を見た場合、第二受入口５２ａおよび第二排出口５２ｂが一直線上に重なっている。このため、ベースパネル５５に直交する方向に第二球通過部５２を見た場合、第一球通過部５１に対するずれにおける中心線ＣＬ１２と、振分入賞部５０に対するずれにおける中心線ＣＬ１２とは、一直線上に存在して共通の直線となる。
【０１３８】
遊技機１００では、振分入賞部５０の中心線ＣＬ１０および第一球通過部５１の中心線ＣＬ１１は、一直線上に存在しており、第二球通過部５２の中心線ＣＬ１２は、この一直線上に存在していない。第二球通過部５２の中心線ＣＬ１２は、第一球通過部５１の左側壁５１ｃと、第二球通過部５２の直下に配置された振分入賞部５０の左側壁５０ｂの先端部とを通る位置に存在している。また、遊技機１００では、第一球通過部５１の中心線ＣＬ１１は、第二球通過部５２の右側壁５２ｄの先端部を通る位置に存在している。
【０１３９】
第一球通過部５１は、前面パネル５３の裏面側から突出して形成された第一受入部５１１と、ベースパネル５５の背面側に突出して形成された第一誘導部５１２とを有している。第一球通過部５１は、遊技領域を流下して第一受入口５１ａから受け入れた遊技球を、第一受入部５１１および第一誘導部５１２で誘導して第一排出口５１ｂから排出するようになっている。つまり、第一球通過部５１は、第一受入口５１ａから受け入れた遊技球を遊技盤（図１１および図１２では不図示）の背面に誘導した後に第一排出口５１ｂから排出可能に設けられている。
【０１４０】
第二球通過部５２は、前面パネル５３の裏面側から突出して形成された第二受入部５２１と、ベースパネル５５の背面側に突出して形成された第二誘導部５２２とを有している。第一排出口５１ｂの直下に配置される第二球通過部５２の右側壁５２ｃは、ベースパネル５５の正面側から突出して形成されている。これにより、第一排出口５１ｂと第二球通過部５２の右側壁５２ｃとの相対位置関係の機体差の低減が図られている。第二球通過部５２は、第一球通過部５１から排出されて第二受入口５２ａから受け入れた遊技球を、第二受入部５２１および第二誘導部５２２で誘導して第二排出口５２ｂから排出するようになっている。つまり、第二球通過部５２は、第一排出口５１ｂから排出された遊技球を遊技盤（図１１および図１２では不図示）の背面に誘導した後に第二排出口５２ｂから排出可能に設けられている。
【０１４１】
振分入賞部５０は、ベースパネル５５に形成された排出口５０ｄと、ベースパネル５５の背面側から突出して形成された誘導突起部５０１とを有している。誘導突起部５０１は、排出口５０ｄの下方に設けられている。誘導突起部５０１は、排出口５０ｄを通過した遊技球を一旦受けて、振分入賞部検出スイッチ４０ｓが取り付けられた排出部品（図１１および図１２では不図示）に誘導するようになっている。
【０１４２】
球振り分け装置５では、球振り分け装置４と同様に、球振り分け装置５を正面側から見た場合、第二球通過部５２が振分入賞部５０に対して一の方向（本実施形態では球振り分け装置５の左方向）に片寄って配置され、第一球通過部５１が第二球通過部５２に対して一の方向と逆方向（本実施形態では球振り分け装置５の右方向）に片寄って配置されている。このため、第一球通過部５１、第二球通過部５２および振分入賞部５０は、球振り分け装置５を正面側から見た場合、千鳥配置される。このため、球振り分け装置５では、第一球通過部５１の第一排出口５１ｂの直下に第二球通過部５２の右側壁５２ｃの先端部が配置されている。これにより、球振り分け装置５は、第一排出口５１ｂから排出された遊技球を右側壁５２ｃの先端部に衝突させることによって弾いて、第二球通過部５２および球振り分け装置５の外部（本例では遊技領域）の一方に振り分けることができる。球振り分け装置５は、球振り分け装置４とは異なり、リターン通路を有しておらず、第二球通過部５２または振分入賞部５０に遊技球を振り分けない場合、遊技球を球振り分け装置５の外部に直接放出するように構成されている。
【０１４３】
また、球振り分け装置５では、第二球通過部５２の第二排出口５２ｂの直下に振分入賞部５０の左側壁５０ｂの先端部が配置されている。これにより、球振り分け装置５は、第二排出口５２ｂから排出された遊技球を左側壁５０ｂの先端部に衝突させることによって弾いて、振分入賞部５０および球振り分け装置５の外部（本例では遊技領域）の一方に振り分けることができる。
【０１４４】
図示は省略するが、第二球通過部５２または振分入賞部５０に振り分けられない場合に遊技球が振り分けられる球振り分け装置５の外部であって球振り分け装置５の下流には、大入賞口１２６が配置されている。このため、球振り分け装置５を備えた遊技機１００は、球振り分け装置４を備えた遊技機１００と同様に、第一球通過部５１から排出する遊技球および第二球通過部５２から排出する遊技球の振り分け方向を遊技性やゲーム性（大役遊技の実行中か否かなど）に関連させることができるので、遊技者の遊技に対する興趣の向上を図ることができる。
【０１４５】
また、球振り分け装置５は、第一球通過部５１からの排出時および第二球通過部５２からの排出時の合計２回、遊技球を振り分ける機会を有している。球振り分け装置５は、第一球通過部５１を通過した遊技球を例えば５０％の確率で第二球通過部５２に振り分けるように設計されている。また、球振り分け装置５は、第二球通過部５２を通過した遊技球を例えば５０％の確率で振分入賞部５０に振り分け、７５％の確率で外部に振り分けるように設計されている。したがって、球振り分け装置５は、第一球通過部５１の第一受入口５１ａから受け入れた遊技球を２５％の確率で振分入賞部５０に振り分けることができる。
【０１４６】
また、球振り分け装置５は、遊技店の島設備に傾いて設置されても、球振り分け装置４と同様の作用により、振分入賞部５０への遊技球の入賞率の機体差を低減できる。
【０１４７】
図１１および図１２に示すように、第一受入部５１１は、２個の第一前段案内リブ５１１ｂを有し、第一誘導部５１２は、第一後段案内リブ５１２ａを有している。また、第二受入部５２１は、２個の第二前段案内リブ５２１ａを有し、第二誘導部５２２は、第二後段案内リブ５２２ａを有している。これにより、球振り分け装置５は、遊技領域を転動しながら流下することによって遊技球に生じる球ぶれを低減できる。これにより、球振り分け装置５は、第二球通過部５２および振分入賞部５０において遊技球を振り分ける際に、遊技球の想定外の挙動を防止できる。その結果、遊技機１００は、遊技球の振り分け割合の機体差が低減され、入賞率の安定化を図ることができる。
【０１４８】
以上説明したように、他の構成例としての球振り分け装置５を備えた遊技機１００は、球振り分け装置４を備えた遊技機１００と同様に、遊技球が所定領域に誘導される割合の機体差を低減することができる。さらに、振分入賞部５０への入賞が、島設備への遊技機１００の設置状態や球振り分け装置５の遊技盤１０８への取り付け状態などの環境差、および球振り分け装置５の製造誤差の影響を受けにくいので、球振り分け装置５を備えた遊技機１００は、安定したベース（出玉率）を確保できる。
【０１４９】
本発明は、上記実施形態に限らず、種々の変形が可能である。
上記実施形態では、球振り分け装置は、第一球通過部および第二球通過部において遊技盤の盤面の背面側に遊技球を誘導しているが、本発明はこれに限られない。例えば、第一球通過部および第二球通過部の少なくとも一方は、受け入れた遊技球を遊技盤の盤面の前面側に誘導した後に、遊技球を排出口から排出してもよい。遊技球を遊技盤の盤面の前面側で誘導する場合には、第一受入部および第二受入部は、第一受入部４１１および第二受入部４２１のように底部４１１ａ，５１１ａを有さないように構成される。これにより、当該第一受入部および当該第二受入部は、遊技盤の盤面の前面で遊技球を通過させることができる。さらに、当該第一受入部および当該第二受入部における遊技球の通過領域に、案内リブを設けておくことにより、遊技球の球ぶれの低減を図ることができる。
【０１５０】
上記実施形態では、遊技領域を流下した遊技球が進入可能な進入口および当該進入口を形成する側壁を有する進入部として、振分入賞部を例にとって説明したが、本発明はこれに限られない。進入部は、第１始動口、第２始動口、ゲートおよび大入賞口など、遊技球が進入することによって遊技者が所定の利益を得られる構成要素であってもよい。
【０１５１】
また、上記実施形態における遊技盤１０８の盤面構成は一例に過ぎず、適宜設計可能であることは言うまでもない。
【０１５２】
また、上記実施形態における遊技状態の設定は一例に過ぎず、上記と同様の遊技性を担保可能な範囲において、適宜設定可能である。
【０１５３】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【符号の説明】
【０１５４】
４，５  球振り分け装置
４Ａ  前側部品
４Ｂ  後側部品
４Ｃ  排出部品
５  球振り分け装置
４０，５０  振分入賞部
４０ａ  入球口
４０ｂ，４１ｃ，４２ｃ，５０ｂ，５１ｃ  左側壁
４０ｃ，４１ｄ，４２ｄ，５２ｃ，４２３  右側壁
４０ｄ，４１１ａ，４２１ａ，４４１ａ  底部
４０ｅ  正面壁部
４０ｆ，５０ｄ  排出口
４０ｓ  振分入賞部検出スイッチ
４１，５１  第一球通過部
４１ａ，５１ａ  第一受入口
４１ｂ，５１ｂ  第一排出口
４２，５２  第二球通過部
４２ａ，５２ａ  第二受入口
４２ｂ，５２ｂ  第二排出口
４３，５３  前面パネル
４４  外壁部
４４ａ  左障壁部
４４ｂ  右障壁部
４５，５５  ベースパネル
４６  排出通路
４７ａ  第一リターン通路
４７ｂ  第二リターン通路
４７ｃ  リターン開口部
１００  遊技機
２０２  演出役物装置
２０４  演出照明装置
２０６  音声出力装置
２０８  演出操作装置
２０８ａ  押下ボタン
２０８ｂ  演出レバー
２０８ｃ  回転部
３００  主制御基板
３００ａ  メインＣＰＵ
３００ｂ  メインＲＯＭ
３００ｃ  メインＲＡＭ
３３０  副制御基板
３３０ａ  サブＣＰＵ
３３０ｂ  サブＲＯＭ
３３０ｃ  サブＲＡＭ
３４０  画像制御部
４０１  案内リブ
４１１，５１１  第一受入部
４１１ｂ，５１１ｂ  第一前段案内リブ
４１２，５１２  第一誘導部
４１２ａ  第一進入口
４１２ｂ，５１２ａ  第一後段案内リブ
４２１，５２１  第二受入部
４２１ｂ，５２１ｂ  第二前段案内リブ
４２２，５２２  第二誘導部
４２２ａ  第二進入口
４２２ｂ，５２２ａ  第二後段案内リブ
４２３ａ  上側壁部
４２３ｂ  下側壁部
４５１，４５２  開口部
５０１  誘導突起部
【図１】
2019088363.tif 000003
【図２】
2019088363.tif 000004
【図３】
2019088363.tif 000005
【図４】
2019088363.tif 000006
【図５】
2019088363.tif 000007
【図６】
2019088363.tif 000008
【図７】
2019088363.tif 000009
【図８】
2019088363.tif 000010
【図９】
2019088363.tif 000011
【図１０】
2019088363.tif 000012
【図１１】
2019088363.tif 000013
【図１２】
2019088363.tif 000014